(57)【要約】      （修正有）【課題】腋臭手術患部に医療用布を押圧保持することが可能な医療用衣服を提供する【解決手段】医療用衣服５０は、腋部に各々伸縮性を有する第１の押圧層と第２の押圧層３２ｂと第３の押圧層３２ｃとからなる圧迫固定部３２を有している。また、医療用衣服５０の前部には圧迫固定部３２を前面中央側に引張る第１フロント部３４ａ、第２フロント部３４ｂを有している。また更に、医療用衣服５０の背面には圧迫固定部３２を上方向及び背面中央側に引張る背面引張部を有している。これらの部材により本考案に係る医療用衣服５０は、着用者が腕を動かした場合でも医療用布を常に腋臭手術患部に密着保持することができる。【選択図】図１
0003180312.tif 000002
【実用新案登録請求の範囲】
【請求項１】
着用者の腕を通す袖部と、
着用者の首を通す襟部と、を有する医療用衣服において、
医療用衣服本体の腋部に着用者の腋臭手術患部へ医療用布を押圧保持する圧迫固定部を備えたことを特徴とする医療用衣服。
【請求項２】
圧迫固定部が、
医療用衣服本体の着用者側に縫着された伸縮性を有する第１の押圧層と、
医療用衣服本体の腋部分を構成し伸縮性を有する第２の押圧層と、
医療用衣服本体の外側に縫着された伸縮性を有する第３の押圧層と、を有することを特徴とする請求項１記載の医療用衣服。
【請求項３】
医療用衣服本体の前部は、胸部の上下で第１フロント部と第２フロント部に分離しており、第１フロント部及び第２フロント部を各々長さ調節可能とすることで、第１フロント部及び第２フロント部による引張力を調整可能とし、
さらに、医療用衣服本体の背面に、医療用衣服本体の両肩部から両側部にかけてＸ字状に縫着され、医療用衣服本体の側部を肩部側に引張る伸縮性を有した背面引張部を備えたことを特徴とする請求項２記載の医療用衣服。
【請求項４】
第１の押圧層がツースパンサテンネット布で構成され、医療用衣服本体と第３の押圧層がパワーネット布で構成され、
第１フロント部及び第２フロント部の長さ調節を、複数行及び複数列設置されたメス側鉤ホックと、複数行設置されたオス側鉤ホックと、で行うことを特徴とする請求項３記載の医療用衣服。
【考案の詳細な説明】
【技術分野】
【０００１】
本考案は、腋臭の手術患部にガーゼ等の医療用布を押圧保持する医療用衣服に関するものである。
【背景技術】
【０００２】
近年、自身の体臭に悩みを抱える人々が増加傾向にある。特に、腋の下のアポクリン腺からの分泌液が汗等と混ざり、これを常在細菌が分解する際に生じる腋臭は人によって強い臭気を発することから治療や対策を講じる人が多い。この腋臭に対する根本的な治療方法として、腋の下のアポクリン腺を外科手術によって除去することが挙げられる。腋臭の一般的な手術法としては、腋の皮膚を切開しアポクリン腺をハサミで切除する剪除法や、脂肪吸引等に使用するカニューレでアポクリン腺を吸い出す吸引法などがある。ただし、腋臭手術も通常の外科手術と同様、術後はガーゼや綿布等の医療用布を当てて患部を保護するとともに、衛生状態を良好に保つ必要がある。しかしながら、人間の腋（肩）は可動域が広いため医療用布を常に腋臭手術患部に密着保持することが難しい。このため、従来はテープを幾重にも巻き付けて医療用布を腋臭手術患部に固定する方法や医療用布自体を直接肌に縫い付ける方法が取られてきた。しかしながら、テープを幾重にも巻き付ける方法では、患者がテープかぶれを引き起こすという問題がある。また、医療用布自体を縫い付ける方法では、患者に苦痛を強いる他、傷跡が残る可能性がある。
【０００３】
尚、医療用衣服としては、例えば下記［特許文献１］に開示された発明がある。しかしながら、［特許文献１］に開示された発明は上記の問題点を解決するものではない。
【先行技術文献】
【特許文献】
【０００４】
【特許文献１】特開２００７−３０３０５３号公報
【考案の概要】
【考案が解決しようとする課題】
【０００５】
本考案は上記事情に鑑みてなされたものであり、腋臭手術患部に医療用布を押圧保持することが可能な医療用衣服を提供することを目的とする。
【課題を解決するための手段】
【０００６】
本考案は、
（１）着用者の腕を通す袖部１０と、着用者の首を通す襟部１２と、を有する医療用衣服において、
医療用衣服本体３０の腋部に着用者の腋臭手術患部へ医療用布を押圧保持する圧迫固定部３２を備えたことを特徴とする医療用衣服５０を提供することにより、上記課題を解決する。
（２）圧迫固定部３２が、医療用衣服本体３０の着用者側に縫着された伸縮性を有する第１の押圧層３２ａと、医療用衣服本体３０の腋部分を構成し伸縮性を有する第２の押圧層３２ｂと、医療用衣服本体３０の外側に縫着された伸縮性を有する第３の押圧層３２ｃと、を有することを特徴とする上記（１）記載の医療用衣服５０を提供することにより、上記課題を解決する。
（３）医療用衣服本体３０の前部は、胸部の上下で第１フロント部３４ａと第２フロント部３４ｂに分離しており、第１フロント部３４ａ及び第２フロント部３４ｂを各々長さ調節可能とすることで、第１フロント部３４ａ及び第２フロント部３４ｂによる引張力を調整可能とし、
さらに、医療用衣服本体３０の背面に、医療用衣服本体３０の両肩部から両側部にかけてＸ字状に縫着され、医療用衣服本体３０の側部を肩部側に引張る伸縮性を有した背面引張部３８を備えたことを特徴とする上記（２）記載の医療用衣服５０を提供することにより、上記課題を解決する。
（４）第１の押圧層３２ａがツースパンサテンネット布で構成され、医療用衣服本体３０と第３の押圧層３２ｃがパワーネット布で構成され、
第１フロント部３４ａ及び第２フロント部３４ｂの長さ調節を、複数行及び複数列設置されたメス側鉤ホック３６ｂと、複数行設置されたオス側鉤ホック３６ａと、で行うことを特徴とする上記（３）記載の医療用衣服５０を提供することにより、上記課題を解決する。
【考案の効果】
【０００７】
本考案に係る医療用衣服は、患者が着用するだけで腋の下の腋臭手術患部に医療用布を押圧保持することができる。これにより、腋臭手術患部の衛生状態を良好に維持することができる。
【図面の簡単な説明】
【０００８】
【図１】本考案に係る医療用衣服の前面を示す図である。
【図２】本考案に係る医療用衣服の前面裏を示す図である。
【図３】本考案に係る医療用衣服の前面の第１フロント部、第２フロント部を開いた状態を示す図である。
【図４】本考案に係る医療用衣服の背面を示す図である。
【考案を実施するための形態】
【０００９】
本考案に係る医療用衣服の実施の形態について図面に基づいて説明する。図１〜図４に示す本考案に係る医療用衣服５０は、着用者の腕を通す袖部１０と着用者の首を通す襟部１２とを備えた医療用衣服本体３０と、医療用衣服本体３０の腋部に位置する圧迫固定部３２と、を有している。尚、医療用衣服本体３０は伸縮性を有する例えばパワーネット布等の生地で形成される。よって、患者が医療用衣服５０を着用すると、医療用衣服本体３０は伸縮して着用者の肌に密着する。また、医療用衣服本体３０を構成する各部（前身頃、後ろ見頃、袖）の縫製は、フラットシーマ縫製を用いることが好ましい。医療用衣服本体３０の縫製にフラットシーマ縫製を用いれば、医療用衣服本体３０の縫目が平らとなるため着用時の肌触りをソフトにすることができる。
【００１０】
医療用衣服５０の圧迫固定部３２は、着用者の腋臭手術患部に医療用布を押圧保持するためのものであり、図２に示す着用者側（内側）の医療用衣服本体３０の腋部に縫着された第１の押圧層３２ａと、医療用衣服本体３０の腋部を構成する第２の押圧層３２ｂと、図１に示す医療用衣服本体３０の腋部の外側に縫着された第３の押圧層３２ｃと、を有している。圧迫固定部３２の面積は、医療用布を腋臭手術患部に圧迫保持することを考慮して、一般的な腋臭手術の施術箇所を網羅した上で更に２ｃｍ以上余裕を持って形成することが好ましい。尚、本例では第１の押圧層３２ａと第３の押圧層３２ｃとを袖部１０と胴部で分けて縫着した例を示しているが、縫着形態はこれに限定されるわけではない。また、本例では医療用衣服本体３０の腋部が第２の押圧層３２ｂを兼ねているが、第２の押圧層３２ｂを医療用衣服本体３０とは別に設けても良い。
【００１１】
医療用衣服５０の圧迫固定部３２を構成する第１の押圧層３２ａ、第２の押圧層３２ｂ（医療用衣服本体３０）、第３の押圧層３２ｃは、伸縮性を有する周知の布が用いられる。特に、着用者側に位置する第１の押圧層３２ａは、伸縮性を有し且つ肌触りに優れた合成樹脂繊維製のツースパンサテンネット布を用いることが好ましい。また、第３の押圧層３２ｃ及び医療用衣服本体３０（第２の押圧層３２ｂ）は、強い伸縮性と通気性とを備え、薄く軽量で適度な肌触りを兼ね備えた合成樹脂繊維製のパワーネット布を用いることが好ましい。
【００１２】
このように、本考案に係る医療用衣服５０の圧迫固定部３２は伸縮性を有する第１の押圧層３２ａ、第２の押圧層３２ｂ、第３の押圧層３２ｃの３層構成のため、医療用布に対する強い押圧力を得ることができる。尚、圧迫固定部３２の層数は上記のように３層が最も好ましいが、更なる押圧力を得るために４層以上としても良い。
【００１３】
また、医療用衣服本体３０の前部は着用者の胸の略中央部分を挟んで上側に位置する第１フロント部３４ａと、下側に位置する第２フロント部３４ｂとに分離しており、この第１フロント部３４ａと第２フロント部３４ｂは図３に示すように医療用衣服本体３０の略中央部分で左右に分断されている。そして、その両方の端部には着脱部材３６（後述のオス側鉤ホック３６ａ及びメス側鉤ホック３６ｂ）が設置されている。第１フロント部３４ａ及び第２フロント部３４ｂは、この着脱部材３６の着脱位置によって長さの調節及び引張力の調整が可能である。尚、この第１フロント部３４ａ及び第２フロント部３４ｂの引張力は、圧迫固定部３２を前面中央側に引張り医療用布を腋臭手術患部に押圧保持する機能を有する。
【００１４】
着脱部材３６としては横方向の引張力に強い鉤ホックを用いることが特に好ましい。ただし、これに限定されるわけではなく、他のホック、ボタン、面ファスナー等の周知の着脱部材を用いても良い。尚、本例では着脱部材３６として鉤ホックを用いた例を説明する。着脱部材３６に鉤ホックを用いた場合、第１フロント部３４ａ及び第２フロント部３４ｂの一方にメス側鉤ホック３６ｂを複数行複数列設置し、第１フロント部３４ａ及び第２フロント部３４ｂの他方にオス側鉤ホック３６ａをメス側鉤ホック３６ｂと同じ行数設置することが好ましい。尚、図３では上側の第１フロント部３４ａの一方にメス側鉤ホック３６ｂを４行３列設置し、下側の第２フロント部３４ｂの一方にメス側鉤ホック３６ｂを５行３列設置し、これと対応する第１フロント部３４ａ、第２フロント部３４ｂの他方にオス側鉤ホック３６ａをメス側鉤ホック３６ｂと同じ行数設置した例を示している。
【００１５】
そして、左右の第１フロント部３４ａ、第２フロント部３４ｂの着脱は、オス側鉤ホック３６ａとメス側鉤ホック３６ｂとの係合で行う。このとき、オス側鉤ホック３６ａと係合するメス側鉤ホック３６ｂの位置（列）を変えることで、第１フロント部３４ａ、第２フロント部３４ｂの長さを調節することができる。これにより、第１フロント部３４ａ及び第２フロント部３４ｂの引張力を調整することができる。この際、メス側鉤ホック３６ｂとの係合位置を上下方向で異なる位置としても良い。例えば、第１フロント部３４ａの下側のオス側鉤ホック３６ａを緩い（端側の）メス側鉤ホック３６ｂと係合し、第１フロント部３４ａの上側のオス側鉤ホック３６ａをきつい（奥側の）メス側鉤ホック３６ｂと係合すれば、第１フロント部３４ａの上側の引張力を比較的強く、第１フロント部３４ａの下側の引張力を比較的弱くすることができる。同様に第２フロント部３４ｂにおいても上側と下側とで引張力を調整することができる。これにより、着用者の体型に応じて医療用衣服本体３０の前面の引張力を調整することができる。
【００１６】
尚、医療用衣服本体３０の前面には第１フロント部３４ａと第２フロント部３４ｂとの間に開口部が形成される。この開口部は着用者の胸部に位置しているため、第１フロント部３４ａ、第２フロント部３４ｂの引張力が多少強くとも、着用者は楽に呼吸を行うことができる。また、医療用衣服５０は基本的に男女兼用である。そして、着用者が女性の場合には、この開口部がバストの膨らみに対する圧迫を軽減する機能を果たす。
【００１７】
また、医療用衣服本体３０の背面には、図４に示すように、医療用衣服本体３０の両肩部から両側部にかけてＸ字状の伸縮性を有する背面引張部３８が縫着される。尚、図４では背面引張部３８を医療用衣服本体３０の右肩部から左下の側部にかけて縫着された伸縮性を有する帯部材３８ａと、左肩部から右下の側部にかけて縫着された伸縮性を有する帯部材３８ｂとで構成した例を示している。ただし、背面引張部３８はこの構成に限定されるわけではなく、例えばＸ字状の伸縮布を背面に縫着して構成しても良い。また、図４では背面引張部３８（帯部材３８ａ、３８ｂ）を着用者側（内側）に縫着した例を示しているが、背面引張部３８は医療用衣服本体３０の外側に縫着しても良い。背面引張部３８を着用者側に縫着する場合、生地としてはツースパンサテンネット布を用いることが好ましい。また、背面引張部３８を外側に縫着する場合、生地としてはパワーネット布を用いることが好ましい。そして、背面引張部３８は、医療用衣服本体３０の側部を斜め上（肩側）に引張ることで圧迫固定部３２を上方向及び背面中央側に引張り、医療用布を腋臭手術患部に押圧保持する機能を有する。
【００１８】
以上のように、本考案に係る医療用衣服５０は、腋部に各々伸縮性を有する第１の押圧層３２ａと第２の押圧層３２ｂと第３の押圧層３２ｃとからなる圧迫固定部３２を有している。また、医療用衣服５０の前部には圧迫固定部３２を前面中央側に引張る第１フロント部３４ａ、第２フロント部３４ｂを有している。また更に、医療用衣服５０の背面には圧迫固定部３２を上方向及び背面中央側に引張る背面引張部３８を有している。これらの部材により本考案に係る医療用衣服５０は、着用者が腕を動かした場合でも医療用布を常に腋臭手術患部に密着保持することができる。また、第１フロント部３４ａ、第２フロント部３４ｂは長さ調節による引張力の調整が可能であり、さらにメス側鉤ホック３６ｂを複数行複数列設置することで上下方向にも引張力の調整が可能となる。これにより、着用者の体型に応じて医療用衣服本体３０の前面の引張力を調整することができる。
【００１９】
また、本考案に係る医療用衣服５０は着用するだけで医療用布を腋臭手術患部に押圧保持することができる。このため、医療用布の交換等を容易に行うことができる。これにより、患者の負担を軽減しながら、腋臭手術患部の保護と衛生状態の維持を適切に行うことができる。
【００２０】
尚、上記に示した医療用衣服５０は一例であるから、医療用衣服本体３０や圧迫固定部３２の各部の形状、層構成、材質等は本考案の要旨を逸脱しない範囲で変更して実施することが可能である。
【符号の説明】
【００２１】
１０    袖部
１２    襟部
３０    医療用衣服本体
３２    圧迫固定部
３２ａ  第１の押圧層
３２ｂ  第２の押圧層
３２ｃ  第３の押圧層
３４ａ  第１フロント部
３４ｂ  第２フロント部
３６ａ  オス側鉤ホック
３６ｂ  メス側鉤ホック
３８    背面引張部
５０    医療用衣服
【図１】
0003180312.tif 000003
【図２】
0003180312.tif 000004
【図３】
0003180312.tif 000005
【図４】
0003180312.tif 000006